(57)【要約】【課題】従来の花器は、保管・輸送に大きなスペースを必要とし、壊れやすいという問題があった。これは、ガラスや陶磁器製にて筒状・壺状等に成形されているためである。【解決手段】水平状態に並設する二つ折りした直立保持板に、四角と、一方の対向する二辺を二等分するところに開閉自在な折り曲げ線を有する花材保持枠の四辺のうち、二等分する折り曲げ線を有しない他方の対向する二辺の下部開口縁を、直立保持板の二つ折りする折り曲げ線に同間隔で平行して、開閉自在な折り曲げ線をもつて接合して花材保持枠を直立し、重ね合わせる直立保持板間に花材保持枠が折り畳まれると共に、貯水ポリ袋を花材保持枠内に装着し、直立保持板を水平状態に安定させる水平保持体を付設し、外観的に多様なものにする外枠を花材保持枠に着脱自在に装着し、小さなスペースで保管・輸送が可能な折り畳み方式にて、卓上に倒れることのない組立花器にすることができる。【選択図】図５
2010036006.tif 000002
【特許請求の範囲】
【請求項１】
水平状態に並設する二つ折りした直立保持板に、四辺より形成して筒状なるものの四角と、前記四辺のうちの一方の対向する二辺の前記四角に平行して二等分するところに配設する開閉自在なる折り曲げ線を有する花材保持枠の前記四辺のうち、前記二等分するところの折り曲げ線を有しない他方の対向する二辺の下部開口縁を、前記直立保持板の二つ折りする折り曲げ線に同間隔でもつて平行して、開閉自在なる折り曲げ線をもつてそれぞれ接合して、直立する前記花材保持枠を重ね合わせる前記直立保持板の間に折り畳まれるところの折り畳み式組立花器。
【請求項２】
開口縁を前記花材保持枠の上部開口縁に沿って接合したところの貯水ポリ袋を、前記花材保持枠内に装着した請求項１記載の折り畳み式組立花器。
【請求項３】
前記花材保持枠を貫通する四辺形孔を設け、並設する二枚の前記直立保持板が水平状態となるように重ね合わせるところの水平保持体を、着脱自在に付設した請求項１又は請求項２記載の折り畳み式組立花器。
【請求項４】
断面形状が前記花材保持枠より一回り大きく、四辺より形成して筒状なるものの四角に配設する開閉自在なる折り曲げ線により折り畳まれるところの外枠を、前記花材保持枠に着脱自在に装着した請求項１〜３の何れかに記載の折り畳み式組立花器。
【発明の詳細な説明】
【技術分野】
【０００１】  本発明は、家庭・事務所等で使用されるもので、主として一輪ざし等の小さな花を生けるための組立花器に関する。
【背景技術】
【０００２】  従来、家庭・事務所等で使用される花器は、ガラスや陶磁器製にて筒状・壺状に成形していた。
【発明の開示】
【発明が解決しようとする課題】
【０００３】  背景技術で述べたガラスや陶磁器製にて筒状・壺状に成形された花器は、形状が筒状・壺状であることより保管・輸送に大きなスペースを必要とすることになる。そして、花を生けた状態で倒れただけでこれが壊れたり、取り扱い中に物に当たってこれが壊れたりするため細心の注意を払う必要があった。【０００４】  本発明は、従来のこのような問題点に鑑みてなされたものであり、その目的とするところは、小さなスペースで保管・輸送が可能な折り畳み方式とし、倒れて壊れることのない組立花器を提供しようとするものである。
【課題を解決するための手段】
【０００５】  そして、本発明は上記目的を達成するために、水平状態に並設する二つ折りした直立保持板に、四辺より形成して筒状なるものの四角と、前記四辺のうちの一方の対向する二辺の前記四角に平行して二等分するところに配設する開閉自在なる折り曲げ線を有する花材保持枠の前記四辺のうち、前記二等分するところの折り曲げ線を有しない他方の対向する二辺の下部開口縁を、前記直立保持板の二つ折りする折り曲げ線に同間隔でもつて平行して、開閉自在なる折り曲げ線をもつてそれぞれ接合して、直立する前記花材保持枠を重ね合わせる前記直立保持板の間に折り畳んだものである。【０００６】  また、第２の課題解決手段は、開口縁を前記花材保持枠の上部開口縁に沿って接合したところの貯水ポリ袋を、前記花材保持枠内に装着したものである。【０００７】  また、第３の課題解決手段は、前記花材保持枠を貫通する四辺形孔を設け、並設する二枚の前記直立保持板が水平状態となるように重ね合わせるところの水平保持体を、着脱自在に付設したものである。【０００８】  また、第４の課題解決手段は、断面形状が前記花材保持枠より一回り大きく、四辺より形成して筒状なるものの四角に配設する開閉自在なる折り曲げ線により折り畳まれるところの外枠を、前記花材保持枠に着脱自在に装着したものである。【０００９】  上記第１の課題解決手段による作用は次の通りである。すなわち、上部開口部より花材を挿入するところの花材保持枠、及び、この花材保持枠を直立状態に安定させるところの直立保持板が、開閉自在なる折り曲げ線をもって扁平状に折り畳みでき、小さなスペースで保管・輸送が可能な折り畳み方式なものとなる。【００１０】  また、第２の課題解決手段による作用は、ポリ袋の開口縁を花材保持枠の上部開口縁に沿って接合して、生花のための貯水ポリ袋が花材保持枠の中に装着されることとなる。【００１１】  また、第３の課題解決手段による作用は、二枚の直立保持板に水平保持体を重ね合わせることにより、直立保持板は水平状態に安定して並設され、花材保持枠は安定した直立状態に保持されることとなる。【００１２】  また、第４の課題解決手段による作用は、花材保持枠を中にして着脱自在に装着されて、外観的に多様なものとする外枠は、開閉自在なる折り曲げ線をもって扁平状に折り畳みでき、小さなスペースで保管・輸送が可能な折り畳み方式なものとなる。
【発明の効果】
【００１３】  上述したように本発明における折り畳み式組立花器は、小さなスペースで保管・輸送が可能な折り畳み方式の組立花器となる。【００１４】  また、貯水ポリ袋が花材保持枠の中に装着されて、生花も生けることのできる組立花器となる。【００１５】  また、水平保持体が直立保持板を水平状態に安定させて、花材保持枠を安定して直立することとなり、折り畳み式組立花器は倒れることのないものとなる。【００１６】  また、小さなスペースで保管・輸送が可能な折り畳み方式の外枠が、花材保持枠に着脱自在に装着されて、外観的に多様なるものにすることができる。
【発明の実施するための最良の形態】
【００１７】  以下、本発明の実施の形態１、２を、図１〜図８に基づいて説明する。
【００１８】  先ず、実施の形態１を示す図１〜図４において、折り畳み式組立花器は花材保持枠１、直立保持体２より構成されている。
花材保持枠１は１枚の厚み０．２ｍｍ程度の厚紙を用い、４枚の側板１Ａ〜１Ｄからなるところの断面形状が正方形なる筒状にしたものであり、４角１Ｅ〜１Ｈのうちの角１Ｈにて、一方の側板１Ｄにのり代１Ｉを設けて他方の側板１Ａに接着剤で貼り合わせている。
また、４角１Ｅ〜１Ｈに折り曲げ線１Ｊ〜１Ｍを配設し、さらに、４枚の側板１Ａ〜１Ｄのうちの対向する側板１Ａ、１Ｃには、４角１Ｅ〜１Ｈの折り曲げ線１Ｊ〜１Ｍに平行して、これを二等分するところの折り曲げ線１Ｎ、１Ｐを設けている。
したがって、対向する側板１Ｂと１Ｄを重ね合わせるとき、この側板１Ｂと１Ｄの間に側板１Ａと１Ｃはそれぞれ折り畳まれ、花材保持枠１は扁平状に折り畳まれることとなる。
【００１９】  直立保持体２は、四辺形の厚み０．５ｍｍ程度の厚紙を、二等分する折り曲げ線２Ａをもつて二つ折りして２枚の四辺２Ｄ〜２Ｇ、２Ｈ〜２Ｋからなる対向直立保持板２Ｂ、２Ｃより形成されるものであり、この対向直立保持板２Ｂ、２Ｃには、上記花材保持枠１の対向する側板１Ｂ、１Ｄとほぼ同等な大きさの四辺２Ｎ、２Ｐ〜２Ｒ、２Ｓ〜２Ｖからなる接合片２Ｌ、２Ｍをそれぞれ設けている。
この接合片２Ｌ、２Ｍの四辺２Ｎ、２Ｐ〜２Ｒ、２Ｓ〜２Ｖのうち、辺２Ｎ、２Ｑ、２Ｓ、２Ｕは対向直立保持板２Ｂ、２Ｃの辺２Ｄ、２Ｆ、２Ｈ、２Ｊにそれぞれ平行とし、また、辺２Ｐ、２Ｔも対向直立保持板２Ｂ、２Ｃの辺２Ｅ、２Ｉにそれぞれ平行となっている。したがって、三辺２Ｎ、２Ｐ、２Ｑと、２Ｓ〜２Ｕは折り曲げ線２Ａを中心線として対称的なコ字形な形状を形成しており、この三辺２Ｎ、２Ｐ、２Ｑと２Ｓ〜２Ｕは、対向直立保持板２Ｂ、２Ｃから接合片２Ｌ、２Ｍをそれぞれ切り離すところのコ字形な分割線としている
また、折り曲げ線２Ａより等間隔でもつて平行であるところの辺２Ｒ、２Ｖには、折り曲げ線２Ｗ、２Ｘを配設している。
したがって、接合片２Ｌ、２Ｍは、開閉自在なる辺２Ｒ、２Ｖの折り曲げ線２Ｗ、２Ｘでもつて、水平状態に並設された対向直立保持板２Ｂ、２Ｃに、折り曲げ線２Ａを中心線として対称的な状態にて直立できることとなる。
【００２０】  次に、上記の要領で対向直立保持板２Ｂ、２Ｃに直立させた接合片２Ｌと２Ｍの間に、上記の要領で断面形状が正方形なる筒状に組立した花材保持枠１を配設し、花材保持枠１の４枚の側板１Ａ〜１Ｄのうち、二等分するところの折り曲げ線１Ｎ、１Ｐを有しないところの側板１Ｂ、１Ｄと、接合片２Ｌ、２Ｍを合成接着剤にて互いに接着している。
したがって、直立保持体２の対向直立保持板２Ｂ、２Ｃが左右に開放されて水平状態に並設されるならば、対向直立保持板２Ｂ、２Ｃの接合片２Ｌ、２Ｍと互いに接着した花材保持枠１が断面形状が正方形なる筒状に組立されて、花材保持枠１は直立保持体２に直立できることとなる。
また、直立保持体２を二つ折りの状態に折り畳むならば、この二つ折りした間に、直立保持体２の接合片２Ｌ、２Ｍと共に、花材保持枠１の側板１Ｂと１Ｄの間に側板１Ａと１Ｃがそれぞれ折り込まれ、花材保持枠１は折り畳まれることとなる。
【００２１】  したがって、上部開口部より花材を挿入するところの花材保持枠１、及び、この花材保持枠１を直立状態に安定させるところの直立保持体２が、開閉自在なる折り曲げ線１Ｊ〜１Ｎ、１Ｐ、２Ａ、２Ｗ、２Ｘをもって扁平状に折り畳みでき、小さなスペースで保管・輸送が可能な折り畳み方式の組立花器となる。
【００２２】  上記の実施例において、花材保持枠１、直立保持体２は厚紙製としているが、これをプラスチック板や木製板等とし、折り曲げ線を要する角には折り曲げできるところの厚紙や、軟質なるプラスチック板等を使用してもよい。
また、二等分する折り曲げ線２Ａをもつて二つ折りして２枚の対向直立保持板２Ｂ、２Ｃを形成しているが、直立保持体２の材質・板厚等によつては、花材保持枠１を直立するためにこれを左右に開放して卓上に水平状態に並設する時、二つ折りする折り曲げ線２Ａにより、この折り曲げ線２Ａを支点として左右先端の辺２Ｅ、２Ｉが卓上より浮いて、完全な水平状態とならない場合がある。しかしながら、必ず１枚の厚紙より二つ折りして２枚の対向直立保持板２Ｂ、２Ｃを形成する必要もなく、完全な水平状態とするために、折り曲げ線２Ａ上にて分割した状態でも、上記の実施例のように、並設した２枚の対向直立保持板に花材保持枠１の側板１Ｂ、１Ｄが接合され、この対向直立保持板を重ね合わせて花材保持枠１が折り畳まれるならば問題はない。しかし、組立・折り畳み等においては連結している方が好ましいのは言うまでもなく、分割された状態の２枚の対向直立保持板に軟質なるプラスチック板等を貼つて連結してもよい。
また、並設された対向直立保持板２Ｂ、２Ｃを水平状態に安定させるために、直立保持体２の折り曲げ線２Ａ上の一部に、並設された対向直立保持板２Ｂ、２Ｃをそれぞれ切り離すところの形状が対応的凹凸からなる分割線を設け、水平状態にする時にこの対応的凹凸を互いに嵌め込むならば、対向直立保持板２Ｂ、２Ｃは水平状態により安定できることとなる。
また、花材保持枠１の側板１Ｂ、１Ｄに、直立保持体２の接合片２Ｌ、２Ｍを接着して、花材保持枠１と直立保持体２を接合しているが、花材保持枠１の側板１Ｂ、１Ｄの下部開口縁に、開閉自在なる折り曲げ線をもつてのり代を付設し、これを直立保持体に接着してもよい。
【００２３】  次に、実施の形態２を示す図５〜図８において、折り畳み式組立花器は花材保持枠１、直立保持体２、貯水ポリ袋３、水平保持体４、外枠５より構成されている。
実施の形態２は、上記実施の形態１における花材保持枠１に貯水ポリ袋３を装着し、また、水平状態に並設した上記対向直立保持板２Ｂ、２Ｃを二つ折りした水平保持体４内に挟着し、また、外枠５を花材保持枠１に装着する場合の実施例である。
なお、花材保持枠１と、直立保持体２は上記実施の形態１におけるものと共通であり、小さなスペースで保管・輸送が可能な折り畳み方式の組立花器となるものである。
【００２４】  貯水ポリ袋３は、市販のポリ収納袋の開口縁３Ａを、上記実施の形態１における花材保持枠１の上部開口縁１Ｑに合成接着剤にて接着したところの貯水容器である。
したがって、花材保持枠１内に生花をいけるための貯水ができる貯水ポリ袋３が装着された組立花器となる。
【００２５】  水平保持体４は、四辺４Ｅ〜４Ｈからなる四辺形の厚み０．３ｍｍ程度の厚紙を、辺４Ｅ、４Ｇに平行して二等分するところの折り曲げ線４Ａをもつて二つ折りして、一対の対向水平保持板４Ｂ、４Ｃより形成されるものであり、この対向水平保持板４Ｂ、４Ｃのうちの一方の対向水平保持板４Ｂには、四辺形なる花材保持枠孔４Ｄを設けている。
この一対の対向水平保持板４Ｂ、４Ｃの間には、直立保持体２の辺２Ｄ、２Ｆ、２Ｈ、２Ｊが辺４Ｅ、４Ｇに平行となる方向でもつて、直立保持体２の水平状態に並設された対向直立保持板２Ｂ、２Ｃを挟着している。この時、直立保持体２の接合片２Ｌ、２Ｍが接着されたところの花材保持枠１が貫通させられるのが花材保持枠孔４Ｄである。
したがって、直立保持体２は水平保持体４内に挟着されて水平状態に安定することとなる。すなわち、この直立保持体２に接合されたところの花材保持枠１も直立状態に安定することとなり、倒れることのない組立花器となる。
【００２６】  外枠５は、１枚の厚み０．２ｍｍ程度の厚紙を用い、４枚の側板５Ａ〜５Ｄからなるところの断面形状が正方形なる筒状にしたものであり、４角５Ｅ〜５Ｈのうちの角５Ｈにて、一方の側板５Ｄにのり代５Ｉを設けて他方の側板５Ａに接着剤で貼り合わせている。
また、外枠５は、４角５Ｅ〜５Ｈに配設した折り曲げ線５Ｊ〜５Ｍにより、側板５Ａと５Ｂ及び側板５Ｃと５Ｄ、または、側板５Ａと５Ｄ及び側板５Ｂと５Ｃをそれぞれ折り重ねて、扁平状に折り畳まれることとなる。
なお、この外枠５の中に上記花材保持枠１を挿入できるように、この外枠５の正方形なる断面形状の大きさは、正方形なる断面形状の花材保持枠１に、上記直立保持体２の接合片２Ｌ、２Ｍを接着したところの大きさより一回り大きいものとしている。
したがって、小さなスペースで保管・輸送が可能な折り畳み方式の外枠５が、着脱自在に装着されて外観的に多様なる組立花器となる。
【００２７】  上記の実施例において、貯水ポリ袋３は、ポリ収納袋の開口縁３Ａを花材保持枠１の上部開口縁１Ｑに合わせて接着しているが、この状態より花材保持枠１の上部開口縁１Ｑに１ｃｍ程度の巾の折り返しを付設して、この折り返しとポリ収納袋の開口縁３Ａをさらに接着するならば、ポリ収納袋はより確実に花材保持枠１に接合できると共に、外観的にも好ましいものとなる。
また、貯水ポリ袋３の貯水容器は必ずしもポリ収納袋とする必要もなく、飲料自動販売機等にも使用されている市販の紙コップ等の成形されたものを花材保持枠１の上部開口部に載置してもよい。
また、花材の茎を差し込んで保水と共にこれを安定するために、合成樹脂等からなる海綿状のブロックを貯水ポリ袋３の貯水容器の中に装着してもよい。
【００２８】  また、水平保持体４、外枠５は厚紙製としているが、これをプラスチック板や木製板等とし、折り曲げ線を要する角には折り曲げできるところの厚紙や、軟質なるプラスチック板等を使用してもよい。
また、水平保持体４の外形形状を四辺形としているが、外観的に好ましいものとするために、折り曲げ線４Ａ以外に、丸みをもつ曲線を有するところの外形形状であつてもよい。
また、間に直立保持体２を挟着するところの二つ折りした水平保持体４の一対の対向水平保持板４Ｂ、４Ｃは、並設された対向直立保持板２Ｂ、２Ｃを水平状態に安定させているが、一対のうちの上側の対向水平保持板４Ｂだけで対向直立保持板２Ｂ、２Ｃが水平状態に安定するのであれば、下側の対向水平保持板４Ｃは不要となることは言うまでもない。
また、対向直立保持板２Ｂ、２Ｃを挟着した水平保持体４において、二つ折りする折り曲げ線４Ａにより、この折り曲げ線４Ａを支点として一対の対向水平保持板４Ｂ、４Ｃが上下に開放されて、先端の辺４Ｅ、４Ｇの間隔に隙間が生じやすくなるけれども、この時、水平保持体４の折り曲げ線４Ａに沿った内側部分にて、上下の対向水平保持板４Ｂ、４Ｃを互いに合成接着剤等にて接着するならば、一対の対向水平保持板４Ｂ、４Ｃは上下に開放されにくくなり、挟着された対向直立保持板２Ｂ、２Ｃは水平状態により安定されることとなる。また、二つ折りした状態の上下の対向水平保持板４Ｂ、４Ｃを、挟着された対向直立保持板２Ｂ、２Ｃを除く部分にて、互いに合成接着剤等にて接着するならば、後で直立保持体２と水平保持体４を分解するのは困難となるが、一対の対向水平保持板４Ｂ、４Ｃは上下に開放されにくくなることは言うまでもない。
【００２９】  また、外枠５の側板５Ａ〜５Ｄを形成している厚紙に強度を必要とする場合、上部開口縁で折り返して側板を二重構造とし、さらに、この二重構造の間に別の補強板を下方向より挿入するならば、側板は強度のあるものとなる。
また、互いに接着したところの花材保持枠１の上部開口縁１Ｑと、直立保持体２の接合片２Ｌ、２Ｍの上辺２Ｐ、２Ｔは同じ高さとしているが、この接合片２Ｌ、２Ｍの上辺２Ｐ、２Ｔを、花材保持枠１の上部開口縁１Ｑより一段高くして、さらに、この角に丸みを付けるならば、これがガイドとなり、この接合片を接着した花材保持枠１はスムーズに水平保持体４の花材保持枠孔４Ｄ、または、外枠５内に挿入できることとなる。
【図面の簡単な説明】
【００３０】
【図１】本発明の実施の形態１を示す組立花器の側面より見た要部断面図
【図２】同組立花器の平面図
【図３】同ある程度折り畳まれた状態の花材保持枠の平面図
【図４】同直立保持体の展開図
【図５】本発明の実施の形態２を示す組立花器の側面より見た要部断面図
【図６】同組立花器の平面図
【図７】同水平保持体の展開図
【図８】同組立られた状態の外枠の平面図
【符号の説明】
【００３１】                                                  １  花材保持枠
１Ａ〜１Ｄ、２Ｄ〜２Ｇ、２Ｈ〜２Ｋ、２Ｎ、２Ｐ〜２Ｒ
２Ｓ〜２Ｖ、４Ｅ〜４Ｈ、５Ａ〜５Ｄ  辺
１Ｅ〜１Ｈ、５Ｅ〜５Ｈ  角
１Ｊ〜１Ｎ、１Ｐ、２Ａ、２Ｗ、２Ｘ、４Ａ、５Ｊ〜５Ｍ  折り曲げ線
１Ｉ、５Ｉ  のり代
１Ｑ  上部開口縁
２  直立保持体
２Ｂ、２Ｃ  対向直立保持板
２Ｌ、２Ｍ  接合片
３  貯水ポリ袋
３Ａ  開口縁
４  水平保持体
４Ｂ、４Ｃ  対向水平保持板
４Ｄ  花材保持枠孔
５  外枠
【図１】
2010036006.tif 000003
【図２】
2010036006.tif 000004
【図３】
2010036006.tif 000005
【図４】
2010036006.tif 000006
【図５】
2010036006.tif 000007
【図６】
2010036006.tif 000008
【図７】
2010036006.tif 000009
【図８】
2010036006.tif 000010